(57)【特許請求の範囲】
【請求項１】
化学物質が溶存した着色及び/又は懸濁を有する試料を測定セル内に注入し、標準物質を測定セルの光路上の非光源側に固定した後、前記試料と前記標準物質に励起光を照射して生じたラマン散乱光を検出する工程、
前記試料中の溶存化学物質と前記標準物質のそれぞれの特定範囲の波数を求め、それらの相対散乱強度を計算することで着色及び/又は懸濁によるラマン散乱ピーク強度の変動に対する影響を補正して、前記試料中の前記溶存化学物質の濃度を定量測定する工程を含む、溶存化学物質濃度測定方法。
【請求項２】
着色及び/又は懸濁の程度が異なり、かつ、前記溶存化学物質の濃度が既知の標準試料を作製し、前記標準試料のラマン散乱光を検出する工程をさらに含み、前記試料と前記標準試料のそれぞれの前記標準物質と前記溶存化学物質によるラマン散乱光の特定波長範囲のピーク強度比を求め、前記ピーク強度比に基づき前記試料中の前記溶存化学物質の濃度を定量測定する、請求項１に記載の溶存化学物質濃度測定方法。
【請求項３】
前記標準物質が酸化セリウムである、請求項１に記載の溶存化学物質濃度測定方法。
【請求項４】
前記溶存化学物質がエタノールを含む請求項１〜３のいずれか１項に記載の溶存化学物質濃度測定方法。
【請求項５】
溶存化学物質がエタノール及びグルコースを含む請求項１〜４のいずれか１項に記載の溶存化学物質濃度測定方法。
【請求項６】
化学物質が溶存している試料がもろみである、請求項１〜５のいずれか１項に記載の溶存化学物質濃度測定方法。
【請求項７】
前記もろみが清酒、焼酎、泡盛もしくはマッコリのもろみである、請求項６に記載の溶存化学物質濃度測定方法。
【発明の詳細な説明】
【技術分野】
【０００１】
本発明は、試料中に溶存する化学物質の濃度を定量測定する方法に関するものである。
【背景技術】
【０００２】
従来、日本酒等の醸造工程では、アルコール度数や糖度の簡便な定量法が必要とされている。アルコール度数については近赤外分光計測を活用した計測機器が販売されている(例えばアントンパール社製、清酒用アルコライザーTS)。
【０００３】
一方、本発明者らは、水溶液中の化学物質の同定・定量が容易であるラマン分光法に着目し、もろみ中のエタノールとグルコースの簡便かつ正確な定量法及び滴過器具を発明した（特許文献１参照)。
【０００４】
また、懸濁溶液中の溶存物質のモニタリングについては、特に下水、工場廃水、環境水の分析においてしばしば検討されており、ラマン分光法が適用された事例がある。例えば、特許文献２には、２７０ｎｍ〜３７０ｎｍの光を試料水に照射し、その分光スペクトル中の３８０ｎｍないしは４８０ｎｍの蛍光波長を測定することを特徴とする水質検査方法が開示されている。また、特許文献３には、試料水から発生する溶存汚濁物質に起因する蛍光の測定とともに、照射した光の水分子によるラマン散乱光強度を測定することを特徴とする測定方法が提案されている。
【先行技術文献】
【特許文献】
【０００５】
【特許文献１】特願２０１５−１０７２９０
【特許文献２】特開平７−２９４４３４
【特許文献３】特開２００９−２３６８３２
【発明の概要】
【発明が解決しようとする課題】
【０００６】
しかしながら、これらの先行文献においては溶存物質の定性的な測定はできているが、定量的な測定については十分ではない。本発明は、試料の濁り及び着色した状態であっても、その影響を補正して定量的な測定を行える技術を提供することを目的とする。
【課題を解決するための手段】
【０００７】
本発明は、以下のラマン散乱ピークの影響を補正する方法を提供するものである。
項１．  化学物質が溶存した着色及び/又は懸濁を有する試料を測定セル内に注入し、標準物質を測定セルの光路上の非光源側に固定した後、前記試料と前記標準物質に励起光を照射して生じたラマン散乱光を検出する工程、
前記試料中の溶存化学物質と前記標準物質のそれぞれの特定範囲の波数を求め、それらの相対散乱強度を計算することで着色及び/又は懸濁によるラマン散乱ピーク強度の変動に対する影響を補正して、前記試料中の前記溶存化学物質の濃度を定量測定する工程を含む、溶存化学物質濃度測定方法。
項２．  着色及び/又は懸濁の程度が異なり、かつ、前記溶存化学物質の濃度が既知の標準試料を作製し、前記標準試料のラマン散乱光を検出する工程をさらに含み、前記試料と前記標準試料のそれぞれの前記標準物質と前記溶存化学物質によるラマン散乱光の特定波長範囲のピーク強度比を求め、前記ピーク強度比に基づき前記試料中の前記溶存化学物質の濃度を定量測定する、項１に記載の溶存化学物質濃度測定方法。
項３．  前記標準物質が酸化セリウムである、項１に記載の溶存化学物質濃度測定方法。
項４．  前記溶存化学物質がエタノールを含む項１〜３のいずれか１項に記載の溶存化学物質濃度測定方法。
項５．  溶存化学物質がエタノール及びグルコースを含む項１〜４のいずれか１項に記載の溶存化学物質濃度測定方法。
項６．  化学物質が溶存している試料がもろみである、項１〜５のいずれか１項に記載の溶存化学物質濃度測定方法。
項７．  前記もろみが清酒、焼酎、泡盛もしくはマッコリのもろみである、項６に記載の溶存化学物質濃度測定方法。
【発明の効果】
【０００８】
本発明によれば、懸濁及び／又は着色した試料中に溶存する化学物質（溶存化学物質）、例えば日本酒等の酒類の製造工程中のもろみにおいて、もろみに含まれる溶存化学物質（例えばアルコールおよびグルコース）濃度を簡便、迅速、正確、かつ低コストで定量的に計測することができる。さらに、アルコール等の溶存化学物質を含む食品類や各種製品の製造工程において、これらの濃度管理への応用、あるいは作製された製品の品質管理にも活用できる。測定対象とすることのできる試料は、もろみ等の発酵食品に限定されることはなく、例えば工場廃水、下水、環境水など、懸濁及び／又は着色した液体等の試料であれば,それに含まれる溶存化学物質を測定することができる。
【図面の簡単な説明】
【０００９】
【図１】試料セル(quartz or glass cell)、ホルダー(Holder)および標準物質（Disk of STD solid）の構造を示す図である。
【図２】（ａ）Ｎｏ．５Ａろ紙および０．４５μｍＰＴＦＥフィルターで２段階ろ過して得た試料に所定量の月桂冠(登録商標)にごり酒を混入した試料のラマン散乱スペクトル図(計測時間１０秒)である。(ｂ）上記（ａ）試料の、８７２ｃｍ−１および４６０ｃｍ−１の相対ラマン散乱強度の相関を示す図である。◆は２段階ろ過して得た試料、□は希釈試料のデータである。
【図３】エタノール１０．５％とグルコース５ｗｔ％を含有する溶液に、同濃度のエタノールおよびグルコースを含有するにごり酒を添加した溶液試料の、５９４ｃｍ−１および４６０ｃｍ−１の相対ラマン散乱強度の相関を示す図である。
【図４】もろみ分析用微量試料セルおよび標準物質の構造を示す図である。
【図５】アルコール度数が１４．８から２１．２である未ろ過のもろみ試料の、（ａ）低濁度領域、および（ｂ）高濁度領域における８８６ｃｍ−１および４７２ｃｍ−１の相対ラマン散乱強度の相関を示す図である。
【発明を実施するための形態】
【００１０】
本発明は、溶存化学物質が含まれる、濁り及び／又は着色を有する溶液に対して、標準物質とともにレーザー光を照射し、それらのラマン散乱光を検出し、標準物質と試料中の溶存化学物質に特徴的な波数範囲のラマン散乱光のピークの強度変化を求め、標準物質のピーク強度を基準として溶存化学物質の相対散乱強度を補正することで、溶存化学物質の濃度を定量測定することを特徴とする。
【００１１】
ラマン散乱に影響を及ぼす粒子が混入したり、試料が着色している場合には、ラマン散乱のピーク強度が低下し、定量性が損なわれる。本発明では、こうした誤差が発生している場合にそれを認知し、補正する手段として、適切な標準物質のラマン散乱光を同時に計測し、その相対散乱強度から標的の化学物質の濃度を求める。本発明では、ラマン散乱光のピークが溶存化学物質と重ならない標準物質を用いることで、溶存化学物質の濃度測定を可能にした。標準物質と溶存化学物質のラマン散乱ピークには相関があることが求められる。相関の解析方法としては、レシオメトリーあるいは多変数解析が挙げられる。相関関係式は測定対象試料と標準物質の設置位置やセルサイズに依存するが、線形、指数、多項式、対数、累乗近似法等が適用可能である。
【００１２】
標準物質は、固体であっても液体であってもよいが、固体の方が望ましい。また、安定性が高く毒性のない固体がより望ましい。標準物質は、どのような形状でもよいが、円形あるいは正方形あるいは長方形の板状試料が望ましい。レーザーの焦点サイズより大きければよく、標準物質に十分な厚みが無いと破損しやすい。一方、大きすぎるあるいは厚すぎると装置の可搬性を損ない、製造コストの増大や資材の無駄を招く。好ましい標準物質は、大気中で安定で、水あるいは有機溶媒によって変質すること無く、無害かつ安価で入手が容易な物質であり、溶存化学物質とは異なる位置にシンプルかつ強度が大きなラマン散乱ピークを示す物質が望ましい。標準物質は、４００〜４０００ｃｍ−１の範囲にラマン散乱ピークを示すものが好ましい。具体的には固体材料が望ましく、金属酸化物がより望ましく、酸化セリウムが最も望ましい。あるいは、多結晶あるいは単結晶シリコン板や、尿素等の有機物質を成型した板を標準物質として用いることができる。これらの材料についても単一のピークを示すことは確認している。また、周知のようにシリコンは安定な材料であることから酸化セリウムの代替品として好ましい材料である。標準物質の位置は、測定対象試料と同時あるいは交互にレーザー光が照射可能であればよいが、同時照射可能であることが望ましい。標準物質は測定対象試料の前方、後方、側方あるいは同じセル内に設置しても良いが、セル後方への設置が望ましい。
【００１３】
標準物質のラマンシフトのピークは、溶存化学物質の２倍以上、３倍以上、５倍以上或いは１０倍以上であることが好ましい。種々の金属酸化物や合成樹脂等の中でも結晶性の高い酸化セリウムは、４６０ｃｍ−１付近に強い１本の散乱ピークを示し、他の領域にはほとんど散乱ピークを示さないことから、最適な標準物質の一つである。標準物質は、光路上であり、試料を入れる測定セルの非光源側に固定することが好ましいが、測定セルのホルダーに固定してもよい。
【００１４】
溶存化学物質としては、メタノール、エタノール、イソプロパノールなどの低級アルコール、エチレングリコール、ジエチレングリコール、トリエチレングリコール、プロピレングリコールなどのアルキレングリコール類、グリセリンなどの多価アルコール、グルコース、マンノース、ガラクトース、フルクトースなどの単糖、マルトース、ラクトース、スクロースなどの二糖、デンプン、グリコーゲン、シアル酸、ヒアルロン酸、などの多糖、アミノ酸、タンパク質、ヌクレオチド、核酸（ＤＮＡ、ＲＮＡ）、酢酸、プロピオン酸、酪酸、吉草酸、イソ吉草酸、パルミチン酸、ステアリン酸、オレイン酸などのモノカルボン酸、シュウ酸、マロン酸、コハク酸、リンゴ酸、酒石酸、グルタル酸、クエン酸、マレイン酸、フマル酸などの多価カルボン酸、ホルムアルデヒド、アセトアルデヒド、プロピオンアルデヒドなどのアルデヒド類、アセトン、メチルエチルケトン、メチルイソブチルケトンなどのケトン類、脂質（トリグリセリド、ジグリセリド、モノグリセリド、コレステロール、リン脂質など）、塩化ナトリウム、リン酸塩、硝酸塩などの無機塩類、天然染料或いは合成染料、天然色素又は合成色素、（モノ，ジ，トリ）エタノールアミン、トリエチルアミン、アンモニアなどのアミン類、重金属（鉄、コバルト、ニッケル、亜鉛、アルミニウム、クロム、ヒ素、タリウム、銅、チタン、鉛、マンガン、スズ、水銀、カドミウムなど）を含む有機重金属化合物、リン酸などの鉱酸、テトラヒドロフラン、アセトン、ジオキサン、アセトニトリル、ジメチルホルムアミド、ジメチルスルホキシドなどの有機溶媒等が挙げられる。
【００１５】
試料としては、濁りもしくは着色を有する材料であれば特に限定されず、例えば下水、もろみ、にごり酒などの微生物を用いた醸造・発酵試料、河川、湖、海水などの環境水、鉱物、顔料、染料、セラミクス、食品、化粧品、医薬品、化学品、ポリマーなどを製造もしくは使用する工場の廃水などが挙げられ、好ましくは酒、酢、みりん、アミノ酸、ヨーグルト、乳酸菌飲料、調味料等の醸造、発酵に関連する試料、乳酸菌飲料、味噌、醤油、などの発酵食品の製造に用いられる試料などが挙げられる。
【００１６】
励起光としては、半導体レーザ光源からのレーザ光を使用することができ、例えば５３２ｎｍ、７８５ｎｍ、１０６４ｎｍの波長の半導体レーザが励起光の光源として挙げられる。
【００１７】
ラマン散乱測定に用いるセルのサイズは、必要な測定対象試料を最小化するため、できるだけ薄く小型のセルが望ましい。セルの厚さは０．５〜１０  ｍｍ、受光面サイズが１０〜４００  ｍｍ２程度が望ましく、セルの厚さ１〜２  ｍｍ、受光面サイズが２５〜１００  ｍｍ２程度がより望ましい。
【００１８】
セル材質は、５００〜１０００  ｎｍ、好ましくは７５０〜１０００  ｎｍの波長の光に対して９０％以上の透過率を有するガラス、石英あるいは透明なプラスチック製が望ましい。
【００１９】
以下、本発明を用いた日本酒およびもろみ中のエタノールとグルコースの測定について説明するが、本発明が、上記に例示した任意の試料に適用可能であることは、当業者であれば容易に理解する。
【００２０】
図１に示したように、光路長１ないし２ｍｍの石英製セルの背面(非光源側)に、酸化セリウムのディスク（直径７ｍｍ、厚さ約１ｍｍ）を貼り付け、石英製セル内に試料を加えて、携帯型ラマン分光器（エス・ティー・ジャパン社Serstech lndicator)を用い、励起波長７８５ｎｍ、後方散乱モードでラマン散乱スペクトルを計測した。
【００２１】
月桂冠（登録商標）にごり酒（３００ｍＬ瓶）をＮｏ．５Ａろ紙および０．４５μｍＰＴＦＥフィルターで２段階ろ過して得た試料に所定量の月桂冠(登録商標)にごり酒を混入して、エタノール濃度は同一であるが濁度の異なる試料を作成し、８７２ｃｍ−１のエタノールに起因するラマン散乱強度と、４６０ｃｍ−１の酸化セリウムに起因するラマン散乱強度計測した（計測時間１０秒)。得られたスペクトルを図２（ａ）に、８７２ｃｍ−１および４６０ｃｍ−１の相対ラマン散乱強度の相関を図２（ｂ）に示した。ただし、図２（ｂ）のｘ軸は、４６０ｃｍ−１における濁度ゼロの試料に対する測定対象試料の相対ラマン散乱強度を、ｙ軸には８７２ｃｍ−１における相対ラマン散乱強度を示してある。未ろ過にごり酒の混入に伴って双方のピークともに減衰したが、８７２ｃｍ−１および４６０ｃｍ−１の相対散乱強度間には相関が認められた。特に、式（１）に示した２次関数で近似した場合には決定係数Ｒ２が０．９９０１と、良好な相関が認められた。
ｙ＝0.6412x2＋0.2890ｘ＋0.0307      式（１）
すなわち、計測対象試料と濁り及び／又は着色を有さない既知濃度のエタノール水溶液のラマン散乱スペクトルを計測し、４６０ｃｍ−１における相対散乱強度を式（１）に代入することで、８７２ｃｍ−１において期待される相対散乱比ｙを求め、８７２ｃｍ−１における計測対象試料の散乱強度Ｙをｙで除することで、にごりの影響を排除した散乱強度Ｙ，を求めることができる。この補正値を濁り及び／又は着色を有さない標準溶液を用いて作成した検量線に代入することで、試料溶液中の粒子等の影響を排除したエタノール濃度等が計測できる。例えば、濁度の異なるエタノール５．３％を含む試料（希釈試料）を計測すると、４６０ｃｍ−１における相対散乱強度はそれぞれ０．７７８および０．１９５となり、一方８７２ｃｍ−１における相対散乱強度は０．３４２および０．０５７３となったが、これよりエタノール濃度はそれぞれ５．５％および５．４％と見積もられ、実際の値に近い数値となった。
【００２２】
同様に、エタノール１０．５％とグルコース５ｗｔ％を含有する溶液に、同濃度のエタノールおよびグルコースを含有するにごり酒を添加した溶液について、グルコースに特徴的な５９４ｃｍ−１および酸化セリウムに特徴的な４６０ｃｍ−１の相対ラマン散乱強度の相関を、図３に示した。同様に２次関数で近似した場合には決定係数Ｒ２が０．９８４と、良好な相関が認められた。
【００２３】
一方、アルコール度数が１４．８から２１．２である、白濁した未ろ過のもろみ試料について、８８６ｃｍ−１のエタノールに起因するラマン散乱強度と、４７２ｃｍ−１の酸化セリウムに起因するラマン散乱強度計測した（計測時間１０秒)。なお、各ピークの波長が図２（ａ）および（ｂ）の場合と僅かに異なるが、用いた装置の固有差による誤差であり、容易に補正が可能である。得られた８８６ｃｍ−１および４７２ｃｍ−１の相対ラマン散乱強度の相関を、低濁度領域については図５（ａ）に、高濁度領域については図５（ｂ）に示した。ここでｘ軸は、４７２ｃｍ−１における濁度ゼロの試料に対する測定対象試料の相対ラマン散乱強度を、ｙ軸には８８６ｃｍ−１における相対ラマン散乱強度を示してある。図５（ａ）には、二段階ろ過によって濁度がゼロとなった試料の計測値も示した。未ろ過もろみ試料の相対散乱強度は４７２ｃｍ−１、８８６ｃｍ−１ともに減衰し、１未満の値となったが、８８６ｃｍ−１および４７２ｃｍ−１の相対散乱強度間には相関が認められた。特に、高濁度領域については式（２）に示した１次関数で近似した場合には決定係数Ｒ２が０．９８８５と、高濁度領域については式（３）に示した指数関数で近似した場合には決定係数Ｒ２が０．９２１１と、それぞれ良好な相関が認められた。
ｙ＝1.4721ｘ-0.4743  （0.5 < ｘ)         式（２）
ｙ＝0.0589ｅｘｐ(2.9933ｘ）（0.5 > ｘ)    式（３）
このように、酸化セリウムといった標準物質を同時に計測することで、励起および散乱光の吸収・散乱による影響の有無を検知することができる。さらに、にごりあるいは着色成分が既知の場合には適切な検量線を作成することで、エタノールやグルコース等の溶存化学物質濃度を補正することができる。
【産業上の利用可能性】
【００２４】
本発明は、日本酒、白ワイン、焼酎等の醸造酒・蒸留酒や、アルコール、グルコース等を含む製品の製造工程管理あるいは製品の検査、家庭廃液のモニタリングに使用可能である。さらに、より広範囲な、懸濁および／または着色溶液中の溶存化学物質の分析に使用可能である。
【図１】
0006609490.tif 000002
【図２】
0006609490.tif 000003
【図３】
0006609490.tif 000004
【図４】
0006609490.tif 000005
【図５】
0006609490.tif 000006